(57)【要約】【課題】破砕装置を搭載してなる自走式破砕機において、破砕装置や被破砕物供給装置等のメンテナンス作業を行うための作業用フロアに設けるにあたり、オペレータが操縦席フロアと作業用フロアとのあいだを速やかに行き来できるようにする。【解決手段】破砕装置４の左右側方に、操縦席フロア１７と略同一高さの作業用フロア９Ｌ、９Ｒを、操縦用フロア１７から連続する状態で設け、さらに、破砕装置４の内部への出入口を開閉自在に覆蓋する蓋体１１を、操縦用フロア１７から連続する状態で設けて作業用フロアとして利用できるようにした。【選択図】        図６
2004344840.tif 000002
【特許請求の範囲】
【請求項１】
破砕装置を搭載してなる自走式破砕機において、前記破砕装置の左右少なくとも一方側に、操縦用フロアと略同一高さ位置の作業用フロアを、操縦用フロアから連続する状態で設けたことを特徴とする自走式破砕機。
【請求項２】
請求項１において、破砕装置の左右両側に略同一高さ位置の作業用フロアを設けたことを特徴とする自走式破砕機。
【請求項３】
請求項２において、破砕装置の左右両側の作業用フロアを連続する作業用フロアを、左右両側の作業用フロアと略同一高さ位置に設けたことを特徴とする自走式破砕機。
【請求項４】
請求項３において、破砕装置の左右両側の作業用フロアを連続する作業用フロアの少なくとも一部は、操縦用フロアにより形成されることを特徴とする自走式破砕機。
【請求項５】
請求項１乃至４の何れかにおいて、作業用フロアの一部は、破砕装置の内部への出入口を開閉自在に覆蓋する蓋体により形成されることを特徴とする自走式破砕機。
【発明の詳細な説明】
【０００１】
【発明の属する技術分野】
本発明は、ジョークラッシャ等の破砕装置が搭載された自走式破砕機の技術分野に属するものである。
【０００２】
【従来の技術】
近年、建造物の取り壊し等の現場で発生するコンクリート等の塊状物を細かく破砕するための機械として、走行体を備えた車体にジョークラッシャ等の破砕装置を搭載した自走式破砕機の重要が増加している。この様な自走式破砕機において、破砕装置や、該破砕装置に被破砕物を供給するためのホッパやフィーダ等の被破砕物供給装置の点検、滞留物除去等のメンテナンス作業を行う場合、破砕装置入口部や被破砕物供給装置は一般的に機体高所に配されているためオペレータが地上からアクセスすることが困難であり、そこで、メンテナンス作業を行うための作業用フロアが設けられる。
この様な作業用フロアとして、従来、ホッパの後方および左右側方に作業用フロアを設けたものが知られている（例えば、特許文献１参照。）。
【０００３】
【特許文献１】
特開平１０−２４９２３１号公報（図１、図２）
【０００４】
【発明が解決しようとする課題】
しかるに、前記従来の作業用フロアは、オペレータが自走式破砕機の操縦を行うための操縦装置が設けられた操縦用フロアから離間しており、しかも操縦用フロアよりも高所に設けられているため、操縦用フロアと作業用フロアとのあいだを速やかに行き来することができず、作業性に劣るというという問題があり、ここに本発明が解決しようとする課題があった。
【０００５】
【課題を解決するための手段】
本発明は、上記の如き実情に鑑み、これらの課題を解決することを目的として創作されたものであって、破砕装置を搭載してなる自走式破砕機において、前記破砕装置の左右少なくとも一方側に、操縦用フロアと略同一高さ位置の作業用フロアを、操縦用フロアから連続する状態で設けたことを特徴とするものである。
そして、この様にすることにより、操縦用フロアと作業用フロアとのあいだを速やかに行き来できることになって、作業性が向上する。
このものにおいて、破砕装置の左右両側に略同一高さ位置の作業用フロアを設けることにより、破砕装置の左右何れの側からもメンテナンス作業を行えることになって、作業性が向上する。
さらに、破砕装置の左右両側の作業用フロアを連続する作業用フロアを、左右両側の作業用フロアと略同一高さ位置に設けることにより、左右の作業用フロアのあいだを速やかに行き来できることになって、作業性が向上する。
また、破砕装置の左右両側の作業用フロアを連続する作業用フロアの少なくとも一部は、操縦用フロアにより形成することにより、操縦用フロアおよび左右の作業用フロアのあいだを速やかに行き来できることになって、作業性が向上する。
さらに、作業用フロアの一部は、破砕装置の内部への出入口を開閉自在に覆蓋する蓋体により形成することにより、破砕装置の内部への出入口スペースを、作業用フロアとして有効利用することができる。
【０００６】
【発明の実施の形態】
次に、本発明の実施の形態を図面に基づいて説明する。図面において、１は自走式破砕機であって、該自走式破砕機１は、クローラ式の走行体２に取付け支持される基台フレーム３の前後方向略中央部に、ジョークラッシャ等からなる破砕装置４が載置されている。該破砕装置４の後側上方には、コンクリート塊等の被破砕物が投入されるホッパ５が配され、該ホッパ５の下方には、ホッパ５に投入された被破砕物を破砕装置４の入口部４ａに導入するための振動フィーダ６が配されている。該振動フィーダ６は、所謂グリズリフィーダと称されるものであって、底面部の前半側に鋸歯状プレート６ａを有し、ホッパ５に投入された被破砕物を破砕装置４側に順次搬送すると共に、破砕不要の小さなコンクリート塊や土砂等を、鋸歯状プレート６ａの間隙から下方に落下させる。そして、該落下物は、振動フィーダ６の前半側の下方から機体左右方に突出する状態で配されるサイドコンベア８によって、自走式破砕機１の左右外方に搬出されるように構成されている。
一方、破砕装置４の左右側方には、後述する左右の作業用フロア９Ｌ、９Ｒが配され、またこれら作業用フロア９Ｌ、９Ｒおよび破砕装置４の前方には、操縦部１０、メンテナンス用出入口を開閉自在に覆蓋する出入口蓋体１１、燃料タンク１２、作動油タンク１３等が配され、さらにその前方には、図示しないエンジンや油圧ポンプ等が収納される動力室１４が配されている。また、破砕装置４により破砕された処理物を機外に排出するための搬出コンベア１５が、破砕装置４の下方から動力室１４の下方に至り、さらに機体前上方に向けて突出する状態で配されている。
尚、図中、１６は搬出コンベア１５の中途部上方に配される磁選機であって、該磁選機１６は、コンクリート塊に含まれる鉄筋等の金属材を磁石で磁着して機外に放出するように構成されている。
【０００７】
前記破砕装置４の左右側方に配される左右の作業用フロア９Ｌ、９Ｒは、破砕装置４の前後長方向略全域に亘るように配されていて、該左右の作業用フロア９Ｌ、９Ｒに載った状態でオペレータが破砕装置４の状況確認やメンテナンス作業等を行えるようになっているが、さらにこの左右の作業用フロア９Ｌ、９Ｒの後部は振動フィーダ６の搬送終端側に届く位置まで延設されていて、鋸歯状プレート６ａや破砕装置４の入口部４ａに詰まった滞留物の除去作業等を行うことができるようになっている。この左右の作業用フロア９Ｌ、９Ｒは、オペレータが破砕装置４の左右何れかの側からでも作業しやすいように、略同一高さ位置に設定されている。
【０００８】
一方、操縦部１０は、前記右側の作業用フロア９Ｒから破砕装置４の右部に至る部位の前方に配されているが、該操縦部１０の床面となる操縦用フロア１７は、右側作業用フロア９Ｒと略同一高さ位置に、右側作業用フロア９Ｒから連続する状態で設けられている。尚、操縦部１０には、操作パネル１８や操作レバー１９等が配置されていて、自走式破砕機１の走行や、破砕装置４、振動フィーダ６、サイドコンベア８、搬出コンベア１５等の作業装置の運転−停止等の各種操作を行えるようになっている。
【０００９】
また、破砕装置４の前方には、前記操縦用フロア１７の左側に隣接する状態で、破砕装置４の内部のメンテナンス作業（例えば、図示しないシムの調節作業等）を行うときに出入りするための出入口が設けられている。該出入口は開閉自在な折畳式の蓋体１１によって覆蓋されているが、該出入口蓋体１１の上面は、前記操縦用フロア１７と略同一高さ位置に、操縦用フロア１７から連続する状態で設けられていて、該出入口蓋体１１の上に載ることにより破砕装置４の前方側からのメンテナンス作業（例えば、図示しないフライホイール駆動部の点検作業等）を行えるようになっている。
【００１０】
尚、前記左右の作業用フロア９Ｌ、９Ｒおよび操縦用フロア１７の機体外方側縁部には、落下防止用の手摺り２０が配置されている。また、２１は地上から左側作業用フロア９Ｌに昇るときに用いる梯子であり、２２は地上から操縦用フロア１７に昇るときに用いるステップである。
【００１１】
叙述の如く構成されたものにおいて、破砕装置４の右側に配される右側作業用フロア９Ｒ、該右側作業用フロア９Ｒおよび破砕装置４の前方に配される操縦用フロア１７および出入口蓋体１１は、略同一高さ位置で且つ連続状に、即ち平面略Ｌ形状となるように設けられており、さらに破砕装置４の左側には、略同一高さ位置に左側作業用フロア９Ｌが設けられている。
この結果、オペレータが破砕装置４やホッパ５、振動フィーダ６の点検、修理、滞留物除去等のメンテナンス作業等を行う場合に、左右の作業用フロア９Ｌ、９Ｒに加えて、操縦用フロア１７、出入口蓋体１１も作業用フロアとして利用することができることになって、広い作業範囲を確保できる。しかも、これら左右の作業用フロア９Ｌ、９Ｒ、操縦用フロア１７、出入口蓋体１１は略同じ高さ位置に、且つ右側作業用フロア９Ｒ、操縦用フロア１７、出入口蓋体１１は連続する状態で配されているため、オペレータは容易且つ速やかに行き来できることになって、作業性の向上に貢献できる。
さらに、出入口蓋体１１は、前述したように作業用フロアの一部を形成していて、破砕装置４内部への出入口のスペースを作業用フロアとして有効利用できることになるが、この出入口蓋体１１は、操縦用フロア１７と略同一高さ位置に連続する状態で配されているから、操縦用フロア１７から破砕装置４内部へのアクセスも容易である。
【００１２】
尚、本発明は上記実施の形態に限定されないことは勿論であって、上記実施の形態では、左側作業用フロア９Ｌの前方に燃料タンク１２が配されており、該燃料タンク１２によって左側作業用フロア９Ｌと出入口蓋体１１との間が不連続状となっているが、例えば、燃料タンク１２を本実施の形態の位置より若干前方位置に配置せしめることによって、左側作業用フロア９Ｌと出入口蓋体１１との間を連続状に構成することもできる。このように構成した場合には、左右の作業用フロア９Ｌ、９Ｒ、操縦用フロア１７、および出入口蓋体１１が平面コ字形状に連続した状態となって作業用フロアを形成することになって、さらなる作業性の向上に寄与できる。
【図面の簡単な説明】
【図１】自走式破砕機の側面図である。
【図２】自走式破砕機の平面図である。
【図３】自走式破砕機の背面図である。
【図４】操縦部側から視た一部拡大側面図である。
【図５】反操縦部側から視た一部拡大側面図である。
【図６】一部拡大平面図である。
【符号の説明】
１    自走式破砕機
４    破砕装置
９Ｌ    左側作業用フロア
９Ｒ    右側作業用フロア
１１    出入口蓋体
１７    操縦用フロア
【図１】
2004344840.tif 000003
【図２】
2004344840.tif 000004
【図３】
2004344840.tif 000005
【図４】
2004344840.tif 000006
【図５】
2004344840.tif 000007
【図６】
2004344840.tif 000008